(57)【要約】【課題】炊飯ジャーのコンパクト化を図ることにより、内部に取付けられたコードリールの外部端子と、ジャー本体の胴部材との間の間隔が一定以上に小さくなった場合、上記外部端子が異常発熱したとしても胴部材が損傷を受けないようにすることである。【解決手段】コードリール８の外部端子１２の部分を含む範囲に難燃性材料でなる遮熱カバー９を被せ、該遮熱カバー９を介して上記コードリール８を胴部材５内部に取付けた構成とした。【選択図】　図２
2004049741.tif 000002
【特許請求の範囲】
【請求項１】
器具外郭の内部に取付けたコードリールの電源コードを該器具外郭のコード穴を通して外部に引き出してなるコードリールの取付け構造において、上記コードリールの外部端子部分を含む範囲に難燃性材料でなる遮熱カバーを被せ、該遮熱カバーを介して上記コードリールを器具外郭に取付けたことを特徴とするコードリール取付け構造。
【請求項２】
上記器具外郭が胴部材とその下端開放部に取付けられた底部材を有し、上記遮熱カバーを上記胴部材内部の肩部材に取付け、上記コードリールを該遮熱カバーの開放端から内部に挿入して遮熱カバーの一部に係合するとともに、電源コードの引出し部を含む部分を遮熱カバーの上記開放端から露出せしめ、露出したコードリールの一部を上記底部材に係合支持したことを特徴とする請求項１に記載のコードリール取付け構造。
【請求項３】
上記遮熱カバーの胴部材に対する取付け構造は、該遮熱カバーの取付けピンを肩部材の差込み部に差込んで取付け、上記遮熱カバーに対するコードリールの係合構造は、遮熱カバーの開放端に形成したスリットに対するコードリールの突片の嵌入により、また、コードリールの底部材に対する係合支持構造は、該底部材に設けた係合凹部に対するコードリールの他の突片の嵌入によることを特徴とする請求項２に記載のコードリール取付け構造。
【発明の詳細な説明】
【０００１】
【発明の属する技術分野】
この発明は、炊飯器（炊飯ジャーを含む。）、ホットプレート等のコードリールを内装した電気器具に関し、特にそのコードリールの取付け構造に関するものである。
【０００２】
【従来の技術】
炊飯器等において、電源コードの収納の便宜のため、自働巻き機能をもったコードリールを内蔵し、電源コード先端部にコンセントのみを器具外郭の外部に露出させた取付け構造が従来から知られている（例えば、特開平１１−２６７０１６号公報参照）。
【０００３】
上記のコードリールは、金属製のケースの内部にゼンマイを収納し、巻取り軸にそのゼンマイによる巻取り方向のばね力を作用させるとともに、引き出した長さに保持するラチェット機構等を設けたものであり、ケース側に設けた固定接点と、巻取り軸側に設けた可動接点の摺接により、固定接点に接続された外部端子、その端子に接続された電源リード線にＡＣ電源を供給するようにしている。
【０００４】
上記のコードリールは、外部端子を器具外郭内面に向け、ケース外部に設けた複数の突片の一つを樹脂製の器具外郭にねじ止めし、他の突片を器具外郭の一部に凹凸嵌合することにより取付けられる。
【０００５】
【発明が解決しようとする課題】
しかしながら、上記の取付け構造によると、充電部である外部端子における電源リード線の接続不良や水の浸入等が原因で発熱やショートを生じることがあると、その熱が直接器具外郭に伝わり、器具外郭を異常昇温させ損傷させる不都合がある。このような不都合は、炊飯器等のコンパクト化のために、コードリールが器具外郭の内面に接近して取付けられる設計を採用した場合に顕著となる。
【０００６】
上記の問題を解消する対策として、器具外郭を難燃性樹脂で成形することが考えられるが、製品コストが大幅に増大することが避けられない。
【０００７】
そこで、この発明は、コードリールの充電部が万一発熱した場合の対策として、器具外郭の異常昇温を防止し得る低コストのコードリール取付け構造を提供することを課題とする。
【０００８】
【課題を解決するための手段】
上記の課題を解決するために、この発明は、器具外郭の内部に取付けたコードリールの電源コードを該器具外郭のコード穴を通して外部に引き出してなるコードリールの取付け構造において、上記コードリールの外部端子部分を含む範囲をカバーする難燃性材料でなる遮熱カバーを被せ、該遮熱カバーを介して上記コードリールを器具外郭に取付けた構成を採用した。
【０００９】
上記の構成によると、コードリールの外部端子の部分で発熱が生じた場合の熱は難燃性の遮熱カバーにより遮断され、器具外郭の異常昇温が防止される。
【００１０】
また、より具体的な構成としては、上記器具外郭が胴部材とその下端開放部に取付けられた底部材を有し、上記遮熱カバーを上記胴部材内部の肩部材に取付け、上記コードリールを該遮熱カバーの開放端から内部に挿入して遮熱カバーの一部に係合するとともに、電源コードの引出し部を含む部分を遮熱カバーの上記開放端から露出せしめ、露出したコードリールの一部を上記底部材に係合支持した構成を採ることができる。
【００１１】
上記の構成によると、胴部材を上下反転してその開放部を上にし、コードリールが挿入された遮熱カバーを胴部材の内部に差し込んで肩部材に取付け、その後底部材を胴部材に取付け、コードリールの一部を底部材に係合支持することにより、遮熱カバーとコードリールを器具外郭に一体化させる。
【００１２】
さらに具体的には、上記遮熱カバーの胴部材に対する取付け構造は、該遮熱カバーの取付けピンを肩部材の差込み部に差込んで取付け、上記遮熱カバーに対するコードリールの係合構造は、遮熱カバーの開放端に形成したスリットに対するコードリールの突片の嵌入により、また、コードリールの底部材に対する係合支持構造は、該底部材に設けた係合凹部に対するコードリールの他の突片の嵌入による構成を採ることができる。
【００１３】
【発明の実施形態】
以下、添付図面に基づいてこの発明の実施形態を説明する。図１に示した炊飯ジャーは、器具外郭としてのジャー本体１と、これに対しヒンジ軸２により開閉自在に取付けられた蓋３を有する。ジャー本体１の前端部に蓋３の前縁と同じ高さに立ち上がった操作部４が設けられる。ジャー本体１は、胴部材５とその下端開放部を閉塞する底部材６、胴部材５の内部に一体的に設けられた肩部材１０等とからなり、内部に炊飯鍋７、加熱装置等が収納される。
【００１４】
上記のジャー本体１の内部の後端部分、即ち、ヒンジ軸２の下方において、コードリール８が収納され、そのコードリール８のほぼ上半分に遮熱カバー９が被せられる（図２（ａ）（ｂ）参照）。コードリール８は、従来周知の構造である。
【００１５】
即ち、コードリール８は、金属製のケース１１の内部にゼンマイを収納し、巻取り軸にそのゼンマイによる巻取り方向のばね力を作用させるとともに、引き出したコードを所定長さに保持するラチェット機構等を設けたものであり、ケース１１側に設けた固定接点に巻取り軸側の可動接点を摺接させることにより、その固定接点に接続された外部端子１２にＡＣ電源を供給するようにしている。電源コードの先端部に設けられた電源プラグ１３がケース１１の下端部から側方に突き出す。また、ケース１１の外周縁に取付け用の突片１４、１５が下端と側方に設けられる。ねじ穴を有する取付け用の突片１６も設けられるが、ここでは使用しない。上記構成のコードリール８は既成品として市販されているものである。
【００１６】
上記のコードリール８は、図１、図２に示すように、外部端子１２を接続する側の面を外面としてジャー本体１の後面に平行となるように取付けられる。従って、以後は外部端子１２側をコードリール外面１７、その反対面をコードリール内面１８と称する。また、電源プラグ１３が突き出した側をコードリール下部１９、その反対側をコードリール上部２０と称する。
【００１７】
前記の遮熱カバー９は、図４（ａ）（ｂ）（本図は便宜上、上下を逆に図示している。）に示すように、前記のコードリール外面１７をカバーする外面カバー部２１、コードリール内面１８をカバーする内面カバー部２２、及びコードリール８の周面をカバーする周面カバー部２３を有する。外面カバー部２１はコードリール外面１７の上端部から中央部分の外部端子１２の部分を越える範囲をカバーし、その下端縁２４は水平になっている。また、外部端子１２のカバー部分は膨出部２５となり、外部端子１２との間に所要の距離をおいている。膨出部２５は下端縁２４に達する。
【００１８】
前記の周面カバー部２３は、コードリール８の上端部周面部から、左右の周壁部分をカバーし、その下端は前記の外面カバー部２１の下端縁２４と同じ高さとなっている。その周面カバー部２３の一方の下端（即ち、コードリール８の一方の突片１５に対応した側の下端）から、上方に向けてスリット２６が設けられる。また、周面カバー部２３の上部には取付け基部２７が設けられ、さらに、その取付け基部２７の上端に左右一対の取付けピン２８、２８が上向きに設けられる。また、両方の取付けピン２８、２８の付け根部分を補強リブ２９により連結している。
【００１９】
なお、遮熱カバー９の上記周面カバー部２３の一部に、突片１６の先端部分を受け入れる部分が凸部３１の内面に設けられる（図２（ｂ）参照）。
【００２０】
前述のコードリール８は、その外部端子１２にリード線をハンダ付けした後、コードリール上部を下向きにして遮熱カバー９の内部に挿入され、コードリール８に設けられた突片１５がスリット２６に挿入係止されるとともに、突片１６が凸部３１の内部に嵌入される（図４（ａ）参照）。このように組み合わされたコードリール８と遮熱カバー９は、図３に示すように、上下を反転したジャー本体１の開放部分から、遮熱カバー９の外面カバー部２１を胴部材５の後端部内面に沿わせるとともに、取付けピン２８、２８を下向きにして挿入する。胴部材５の内部において、前記の肩部材１０に設けられ、上向きに開放された一対の差込み部３２、３２に上記の取付けピン２８、２８が差し込まれる。
【００２１】
その後、底部材６がジャー本体１の開放部に被せられる。このとき、コードリール８の突片１４が、底部材６の係合凹部３３に嵌入される（図３参照）。また、電源プラグ１３を底部材６のプラグ穴３４に内側から挿入し、底部材６の凹所３５に露出させる。
【００２２】
コードリール８と遮熱カバー９を上記のように取付けた図１の状態で、リード線がハンダ付けされた充電部である外部端子１２と、胴部材５の後端面との間に遮熱カバー９の外面カバー部２１が介在されることになる。遮熱カバー９は難燃性であるので、万一外部端子１２の部分で異常発熱が生じたとしても、その熱は遮熱カバー９の外面カバー部２１で遮断され、胴部材５の温度上昇を防止することができる。
【００２３】
【発明の効果】
以上のように、この発明は、コードリールの外部端子部分を含む範囲に難燃性材料でなる遮熱カバーを被せ、該遮熱カバーを介して上記コードリールを器具外郭に取付けたことにより、コードリールの外部端子部分が異常発熱したとしても、器具外郭の損傷を防ぐことができる。また、器具外郭全体を難燃性材料で形成することなく、遮熱カバーのみを難燃性材料で形成することとしたので、製品コストの上昇を防ぐことができる。
【図面の簡単な説明】
【図１】実施形態の縦断側面図
【図２】（ａ）同上のコードリール部分の縦断側面図
（ｂ）（ａ）図のｂ−ｂ線の断面図
【図３】同上の分解斜視図
【図４】（ａ）同上のコードリール部分の分解斜視図
（ｂ）同上の遮熱カバーの斜視図
【符号の説明】
１　ジャー本体
２　ヒンジ軸
３　蓋
４　操作部
５　胴部材
６　底部材
７　炊飯鍋
８　コードリール
９　遮熱カバー
１０　肩部材
１１　ケース
１２　外部端子
１３　電源プラグ
１４　突片
１５　突片
１６　突片
１７　コードリール外面
１８　コードリール内面
１９　コードリール下部
２０　コードリール上部
２１　外面カバー部
２２　内面カバー部
２３　周面カバー部
２４　下端縁
２５　膨出部
２６　スリット
２７　取付け基部
２８　取付けピン
２９　補強リブ
３１　凸部
３２　差込み部
３３　係合凹部
３４　プラグ穴
３５　凹所
【図１】
2004049741.tif 000003
【図２】
2004049741.tif 000004
【図３】
2004049741.tif 000005
【図４】
2004049741.tif 000006